【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
プロセッサとメモリを装備した音声／ビデオ／ファクスメールをルーティングするファクス機であり、前記ファクス機は、音声／ビデオ／ファクスメールを関連する受信者にルーティングするように構成され、前記ファクス機は：
動作パネルと；動作ディスプレイ画面と；マイクロホン／スピーカ、受話器と；封入された用紙トレイと；補助用紙トレイと；プリンタと；音声／ビデオ記録カメラと；モデムと；キーボードと；マウスと；キーパッドと；電話キーパッドと；周辺構成要素相互接続スロットと；音声生成器回路要素と；音声認識回路要素と；サウンドカードと；音声／ビデオ／ファクスメール用ディスプレイと；ペーパースキャナと；バーコードリーダと；指紋／親指指紋スキャナと；網膜スキャナと；スタイラスと；署名パッドと；シュレッダと；ハードドライブと；リムーバブルドライブのうち１つまたはそれ以上を備え；
前記ファクス機はさらに、前記ファクス機を検証モード（ＶＥＲＩＦＩＣＡＴＩＯＮ  ｍｏｄｅ）で構成するためのファクスソフトウェアを含み、前記検証モードでは、ユーザが前記ファクス機から送信された音声／ビデオ／ファクスメールが受信側ファクス機における受信者によって受信されたか否かを判定することができる、ファクス機。
【請求項２】
前記ファクス機は：
前記ファクス機を受信確認要求モード（ＲＥＴＵＲＮ  ＲＥＣＥＩＰＴ  ＲＥＱＵＥＳＴＥＤ  ｍｏｄｅ）で構成するソフトウェアを備え、前記受信確認要求モードでは、ユーザが、受信側ファクス機へ音声／ビデオ／ファクスメールを送信する度に、受信確認要求更新を自動的に受信することができ；
前記ファクス機をチェックモード（ＣＨＥＣＫ  ｍｏｄｅ）で構成するファクスソフトウェアをさらに備え、前記チェックモードでは、ユーザが、ファクス機から送信した音声／ビデオ／ファクスメールが関連する受信側ファクス機における受信者によって取り出されたか否かを迅速に判定することができ；
前記ファクス機を、小切手ファクス送信モード（ＦＡＸ  Ａ  ＣＨＥＣＫ  ｍｏｄｅ）で構成するファクスソフトウェアをさらに備え、前記小切手ファクス送信モードでは、ユーザは小切手を安全にファクス送信することができ；
前記ファクス機を宛先者専用モード（ＦＯＲ  ＹＯＵＲ  ＥＹＥＳ  ＯＮＬＹ  ｍｏｄｅ）で構成するファクスソフトウェアをさらに備え、前記宛先者専用モードでは、ビューイング側が「読み取り専用」の音声／ビデオ／ファクスメールを見る／聞くことができ；
前記ファクス機を生体スキャンモード（ＢＩＯＭＥＴＲＩＣ  ＳＣＡＮ  ｍｏｄｅ）で構成するファクスソフトウェアをさらに備え、前記生体スキャンモードでは、ユーザは、宛先の受信者の信憑性を、指紋／親指指紋スキャンまたは網膜スキャンのうちの一方を装備した生体スキャンによって検証することができ；
前記ファクス機を、ユーザが音声／ビデオ／ファクスメールを聞く／見ることしかできない読み取り専用モード（ＲＥＡＤ  ＯＮＬＹ  ｍｏｄｅ）で構成するファクスソフトウェアをさらに備える、請求項１に記載のファクス機。
【請求項３】
前記ファクス機は：
前記ファクス機を手軽モード（ＩＮＳＴＡＮＴ  ＳＴＡＴＵＳ  ｍｏｄｅ）で構成するファクスソフトウェアをさらに備え、前記手軽モードでは、ユーザは、自分のファクス機に音声／ビデオ／ファクスメールが到着したことを自動的に通知され；
前記ファクス機をカーボンコピーモード（ＣＣ  ｍｏｄｅ）で構成するファクスソフトウェアをさらに備え、前記カーボンコピーモードでは、ユーザは、音声／ビデオ／ファクスメールが、音声／ビデオ／ファクスメールの数を追跡してファクスマシンへ戻すカーボンコピー方式で開始されたことを確認でき；
ファクスソフトウェアをファクス待ちモード（ＦＡＸ  ＱＵＥＵＥ  ｍｏｄｅ）で構成するさらに備え、前記ファクス待ちモードは、着信通話を先着順ベースで処理するファクス待ちをファクス機に提供し、さらに、ファクス機が特定の送信者の音声／ビデオ／ファクスメールを受信するまでのおおよその時間を示すプロンプトを着信した発信者に提供し；
前記ファクス機を身分証明モード（ＩＤＥＮＴＩＴＹ  ｍｏｄｅ）で構成するファクスソフトウェアをさらに備え、前記身分証明モードでは、ユーザは受信側のファクス機が意図した対象のファクス機であるか否かを確認することができ；
前記ファクス機をディレクトリプロンプトモード（ＤＩＲＥＣＴＯＲＹ  ＰＲＯＭＰＴ  ｍｏｄｅ）で構成するファクスソフトウェアをさらに備え、前記ディレクトリプロンプトモードでは、ユーザは、相互接続されている受信者側ファクス機に、使用可能な内線番号のディレクトリを使用するよう催促することができ；
前記ファクス機を、送信側・受信側を表示するモード（Ｉ’Ｍ  ＨＥＲＥ  ＷＨＯ’  ＴＨＥＲＥ  ｍｏｄｅ）で構成するファクスソフトウェアをさらに備え、前記送信側・受信側を表示するモードでは、前記ファクス機のユーザは、インスタントメッセージングまたは電子メールと類似の方法で通信することができ；
目穴を設けた引き込み可能な画面カバーをさらに備え、前記ファクス機は、ビューイング側に「読み取り専用」の音声／ビデオ／ファクスメールを見せる／聞かせることを可能にする宛先者専用モードで構成されている、請求項１に記載のファクス機。
【請求項４】
前記ファクス機は、他のファクス機と、インスタントメッセージングまたは電子メールと類似の方法で通信するように構成されている、請求項１に記載のファクス機。
【請求項５】
前記ファクス機は、ネットワーク接続に相互接続された計算装置と、インスタントメールまたは電子メールと類似の方法で通信するように構成されている、請求項１に記載のファクス機。
【請求項６】
前記ファクス機は：
前記ファクス機をポートレートモードで（ＰＯＲＴＲＡＩＴ  ｍｏｄｅ）構成するファクスソフトウェアを備え、前記ポートレートモードでは、カメラを装備した前記ファクス機が、送信者／受信者の音声／ビデオ／ファクスメール、または人物や物の画像をユーザに対して表示することができ；
前記ファクス機を離席メッセージモード（ＡＷＡＹ  ＭＥＳＳＡＧＥ  ｍｏｄｅ）で構成するためのファクスソフトウェアをさらに備え、前記離席メッセージモードでは、受信側ファクス機にて、特定の時間に特定の個人が音声／ビデオ／ファクスメールを受信するべく不在の旨を送信者が知ることができるようにする離席メッセージを受信側ファクス機に表示させることができ；
前記ファクス機を、保存データベースに記憶されている文書／情報への内部／外部アクセスを提供する参照／ライブラリモード（ＲＥＦＥＲＥＮＣＥ／ＬＩＢＲＡＲＹ  ｍｏｄｅ）で構成するためのファクスソフトウェアをさらに備え；
参加者に手書きでインスタントメッセージを実行できるようにするべく、フルサイズのタッチパッドを作動させるタッチパッドモード（ＴＯＵＣＨ  ＰＡＤ  ｍｏｄｅ）で前記ファクス機を構成するファクスソフトウェアをさらに備え；
前記ファクス機を音声認識モード（ＶＯＩＣＥ  ＲＥＣＯＧＮＩＴＩＯＮ  ｍｏｄｅ）で構成するファクスソフトウェアをさらに備え、前記音声認識モードでは、前記ファクス機は、音声／ビデオ／ファクスメール送信前に、意図した受信者を予め記録されている音声ライブラリと一致させることができる、請求項１に記載のファクス機。
【請求項７】
前記ファクス機は：
前記ファクス機を共同回線モード（ＰＡＲＴＹ  ＬＩＮＥ  ｍｏｄｅ）で構成するファクスソフトウェアを備え、前記共同回線モードでは、送信側ファクス機が共同回線を介して複数の受信側ファクス機と通信接続することができ、
前記ファクス機を文書表示モード（ＶＩＥＷ  Ａ  ＤＯＣＵＭＥＮＴ  ｍｏｄｅ）で構成するファクスソフトウェアをさらに備え、前記文書表示モードでは、前記ファクス気は、ファクス送信の送信者がファクス送信の受信側ファクス機への配信を電子的／物理的に発する前に、ファクス送信する画像のプレビューを必要としているか否かを判定することができ；
前記ファクス機を契約モード（ＣＯＮＴＲＡＣＴ  ｍｏｄｅ）で構成するファクスソフトウェアをさらに備え、前記契約モードでは、送信者と受信者の両方の署名を必要とする契約／同意／合意のファクス送信の送信者と受信者が、そのファクス送信の両側である送信側および受信側のファクス機にて送信者と受信者の署名を見ることができる、請求項１に記載のファクス機。
【請求項８】
小切手用紙をさらに備え、前記小切手用紙には、追跡番号と、前記用紙の片側に走行しているバーコードとが設けられている、請求項１に記載のファクス機。
【請求項９】
前記ファクス機は、セキュリティが侵害されるとアラームを作動させる、請求項１に記載のファクス機。
【請求項１０】
前記アラーム作動の結果、所定のデシベルレベルでの可聴音が発せられるか、または遠隔地にある権限を有する側へ信号が送信して、前記ファクス機のセキュリティプロトコルを侵害している旨を知らせる、請求項９に記載のファクス機。
【請求項１１】
さらに：
ファクス送信の印刷文書を走査するべく動作できる記録カメラと；
ファクス送信に電子書名を提供するべく動作できる署名パッドと；
受信したファクス送信の印刷文書を受信するべく動作できる封入された用紙トレイとを備え、前記封入用紙トレイは、透明なカバーを有し、ユーザに封入されており；
ファクス送信がその受信者へ発される前に、そのファクス送信の画像を表示するべく動作できる音声／ビデオ／ファクスメール・ディスプレイをさらに備える、請求項９に記載のファクス機。
【請求項１２】
前記ファクス機用の前記音声／ビデオ／ファクスメール・ディスプレイは、ファクス送信が前記ファクス機によって送信された後、および前記ファクス送信が印刷される前に、前記ファクス送信を表示するべく動作できる、請求項１１に記載のファクス機。
【請求項１３】
前記ファクス機用の前記音声／ビデオ／ファクスメール・ディスプレイは、スプリットスクリーン技術を用いてファクス送信を表示するように動作可能である、請求項１１または１２のいずれか１項に記載のファクス機。
【請求項１４】
前記署名パッドは、ファクス送信の表示後、および前記ファクス送信の印刷前に、前記ファクス送信に電子書名を提供するように動作可能である、請求項１１に記載のファクス機。
【請求項１５】
前記署名パッドは、ファクス送信の印刷後、および前記ファクス送信が物理的に発される前に、前記ファクス送信に電子署名を提供するように動作可能である、請求項１１に記載のファクス機。
【請求項１６】
前記記録カメラは、前記封入された用紙トレイの透明なカバーの上に取り付けられている、請求項１１に記載のファクス機。
【請求項１７】
離れた場所にあるファクス機の番号をダイヤルし、また、離れた場所にあるファクス機の記録カメラを作動させるためにファクス送信で文書表示コード（ＶＩＥＷ  Ａ  ＤＯＣＵＭＥＮＴ  ｃｏｄｅ）を送信するべく動作できるオペレータパネルをさらに備える、請求項１６に記載のファクス機。
【請求項１８】
前記ファクス機は、離れた場所にあるファクス機の番号をダイヤルし、承認／不承認コードをファクス送信で送信し、前記ファクス送信の印刷文書の表面上に承認された／不承認されたメッセージを印刷し、前記離れた場所から前記印刷文書を排出するべく動作できる、請求項１１に記載のファクス機。
【請求項１９】
前記ファクス機は、離れた場所にあるファクス機の番号をダイヤルし、ファクス送信で承認／不承認コードを送信することで、前記ファクス送信の印刷文書の表面上に承認された／不承認されたメッセージを印刷し、前記離れた場所から前記印刷文書を排出するべく動作できる、請求項１１に記載のファクス機。
【請求項２０】
前記ファクス機は、受信したファクス送信を圧縮、解凍し、これを、前記ファクス送信を提供したファクス機の音声／ビデオ／ファクスメール・ディスプレイに伝送するべく動作できる、請求項１１に記載のファクス機。
【請求項２１】
前記ファクス機に相互接続されたコンピュータをさらに備え、これにより、前記ファクス機が受信したファクス送信を、前記コンピュータ上で電子ビューイングすることができ、また、前記コンピュータで前記ファクス機を制御することができる、請求項１１に記載のファクス機。
【請求項２２】
ファクスシステムであり：
前出の請求項のいずれかに記載の、通信可能に相互接続されている第１、第２ファクス機を備え、
前記第１ファクス機は、音声／ビデオ／ファクスメールを、前記第２ファクス機の場所に居る関連する受信者へルーティングするように構成されている、ファクスシステム。
【請求項２３】
前記第１ファクス機は、前記第１ファクス機がファクス送信を前記第２ファクス機へ送信する際に、前記第２ファクス機の機能を制御し、前記第２ファクス機は、前記第２ファクス機がファクス送信を前記第１ファクス機へ送信する際に、前記第１ファクス機の機能を制御する、請求項２２に記載のファクスシステム。
【請求項２４】
音声／ビデオ／ファクスメールをルーティングする方法であり、前記方法は：
第１ファクス機を提供し；
第２ファクス機を提供し；
第１音声／ビデオ／ファクスメール送信のために、前記第１ファクス機を前記第２ファクス機に通信可能に相互接続させ；
前記第１ファクス機から第２ファクス機へ、第１音声／ビデオ／ファクスメールを受信者ファクスコードで送信し；
前記ファクス機にて、前記受信側ファクスコードを用いて前記第１音声／ビデオ／ファクスメールを受信し；
前記第２ファクス気における前記受信側ファクスコードの再入力に基づいて、前記第２ファクス機からの前記第１音声／ビデオ／ファクスメールへのアクセスを制御する方法。
【請求項２５】
さらに、前記第１、第２ファクス機のそれぞれ１つに、動作パネルと；動作ディスプレイ画面と；マイクロホン／スピーカ、受話器と；封入された用紙トレイと；補助用紙トレイと；プリンタと；音声／ビデオ記録カメラと；モデムと；キーボードと；マウスと；キーパッドと；電話キーパッドと；周辺構成要素相互接続スロットと；音声生成器回路要素と；音声認識回路要素と；サウンドカードと；音声／ビデオ／ファクスメール用ディスプレイと；ペーパースキャナと；バーコードリーダと；指紋／親指指紋スキャナと；網膜スキャナと；スタイラスと；署名パッドと；シュレッダと；ハードドライブと；リムーバブルドライブのうち１つまたはそれ以上を提供する、請求項２４に記載の方法。
【請求項２６】
さらに、前記第１、第２ファクス装置の各々に、前記ファクス機を以下のモードの１つまたはそれ以上で構成するためにファクスソフトウェアを提供し、前記モードは即ち、前記ファクス機を検証モード（ＶＥＲＩＦＩＣＡＴＩＯＮ  ｍｏｄｅ）で構成するためのファクスソフトウェアを含み、前記検証モードでは、ユーザが前記ファクス機から送信された音声／ビデオ／ファクスメールが受信側ファクス機における受信者によって受信されたか否かを判定することができ；  前記ファクス機を受信確認要求モード（ＲＥＴＵＲＮ  ＲＥＣＥＩＰＴ  ＲＥＱＵＥＳＴＥＤ  ｍｏｄｅ）で構成するソフトウェアを備え、前記受信確認要求モードでは、ユーザが、受信側ファクス機へ音声／ビデオ／ファクスメールを送信する度に、受信確認要求更新を自動的に受信することができ；前記ファクス機をチェックモード（ＣＨＥＣＫ  ｍｏｄｅ）で構成するファクスソフトウェアをさらに備え、前記チェックモードでは、ユーザが、ファクス機から送信した音声／ビデオ／ファクスメールが関連する受信側ファクス機における受信者によって取り出されたか否かを迅速に判定することができ；前記ファクス機を、小切手ファクス送信モード（ＦＡＸ  Ａ  ＣＨＥＣＫ  ｍｏｄｅ）で構成するファクスソフトウェアをさらに備え、前記小切手ファクス送信モードでは、ユーザは小切手を安全にファクス送信することができ；前記ファクス機を宛先者専用モード（ＦＯＲ  ＹＯＵＲ  ＥＹＥＳ  ＯＮＬＹ  ｍｏｄｅ）で構成するファクスソフトウェアをさらに備え、前記宛先者専用モードでは、ビューイング側が「読み取り専用」の音声／ビデオ／ファクスメールを見る／聞くことができ；
前記ファクス機を生体スキャンモード（ＢＩＯＭＥＴＲＩＣ  ＳＣＡＮ  ｍｏｄｅ）で構成するファクスソフトウェアをさらに備え、前記生体スキャンモードでは、ユーザは、宛先の受信者の信憑性を、指紋／親指指紋スキャンまたは網膜スキャンのうちの一方を装備した生体スキャンによって検証することができ；前記ファクス機を、ユーザが音声／ビデオ／ファクスメールを聞く／見ることしかできない読み取り専用モード（ＲＥＡＤ  ＯＮＬＹ  ｍｏｄｅ）で構成するファクスソフトウェアをさらに備え；前記ファクス機を手軽モード（ＩＮＳＴＡＮＴ  ＳＴＡＴＵＳ  ｍｏｄｅ）で構成するファクスソフトウェアをさらに備え、前記手軽モードでは、ユーザは、自分のファクス機に音声／ビデオ／ファクスメールが到着したことを自動的に通知され；前記ファクス機をカーボンコピーモード（ＣＣ  ｍｏｄｅ）で構成するファクスソフトウェアをさらに備え、前記カーボンコピーモードでは、ユーザは、音声／ビデオ／ファクスメールが、音声／ビデオ／ファクスメールの数を追跡してファクスマシンへ戻すカーボンコピー方式で開始されたことを確認でき；ファクスソフトウェアをファクス待ちモード（ＦＡＸ  ＱＵＥＵＥ  ｍｏｄｅ）で構成するさらに備え、前記ファクス待ちモードは、着信通話を先着順ベースで処理するファクス待ちをファクス機に提供し、さらに、ファクス機が特定の送信者の音声／ビデオ／ファクスメールを受信するまでのおおよその時間を示すプロンプトを着信した発信者に提供し；前記ファクス機を身分証明モード（ＩＤＥＮＴＩＴＹ  ｍｏｄｅ）で構成するファクスソフトウェアをさらに備え、前記身分証明モードでは、ユーザは受信側のファクス機が意図した対象のファクス機であるか否かを確認することができ；前記ファクス機をディレクトリプロンプトモード（ＤＩＲＥＣＴＯＲＹ  ＰＲＯＭＰＴ  ｍｏｄｅ）で構成するファクスソフトウェアをさらに備え、前記ディレクトリプロンプトモードでは、ユーザは、相互接続されている受信者側ファクス機に、使用可能な内線番号のディレクトリを使用するよう催促することができ；前記ファクス機を、送信側・受信側を表示するモード（Ｉ’Ｍ  ＨＥＲＥ  ＷＨＯ’  ＴＨＥＲＥ  ｍｏｄｅ）で構成するファクスソフトウェアをさらに備え、前記送信側・受信側を表示するモードでは、前記ファクス機のユーザは、インスタントメッセージングまたは電子メールと類似の方法で通信することができ；前記ファクス機をポートレートモードで（ＰＯＲＴＲＡＩＴ  ｍｏｄｅ）構成するファクスソフトウェアを備え、前記ポートレートモードでは、カメラを装備した前記ファクス機が、送信者／受信者の音声／ビデオ／ファクスメール、または人物や物の画像をユーザに対して表示することができ；前記ファクス機を離席メッセージモード（ＡＷＡＹ  ＭＥＳＳＡＧＥ  ｍｏｄｅ）で構成するためのファクスソフトウェアをさらに備え、前記離席メッセージモードでは、受信側ファクス機にて、特定の時間に特定の個人が音声／ビデオ／ファクスメールを受信するべく不在の旨を送信者が知ることができるようにする離席メッセージを受信側ファクス機に表示させることができ；前記ファクス機を、保存データベースに記憶されている文書／情報への内���／外部アクセスを提供する参照／ライブラリモード（ＲＥＦＥＲＥＮＣＥ／ＬＩＢＲＡＲＹ  ｍｏｄｅ）で構成するためのファクスソフトウェアをさらに備え；参加者に手書きでインスタントメッセージを実行できるようにするべく、フルサイズのタッチパッドを作動させるタッチパッドモード（ＴＯＵＣＨ  ＰＡＤ  ｍｏｄｅ）で前記ファクス機を構成するファクスソフトウェアをさらに備え；前記ファクス機を音声認識モード（ＶＯＩＣＥ  ＲＥＣＯＧＮＩＴＩＯＮ  ｍｏｄｅ）で構成するファクスソフトウェアをさらに備え、前記音声認識モードでは、前記ファクス機は、音声／ビデオ／ファクスメール送信前に、意図した受信者を予め記録されている音声ライブラリと一致させることができ、前記ファクス機を共同回線モード（ＰＡＲＴＹ  ＬＩＮＥ  ｍｏｄｅ）で構成するファクスソフトウェアを備え、前記共同回線モードでは、送信側ファクス機が共同回線を介して複数の受信側ファクス機と通信接続することができ、前記ファクス機を文書表示モード（ＶＩＥＷ  Ａ  ＤＯＣＵＭＥＮＴ  ｍｏｄｅ）で構成するファクスソフトウェアをさらに備え、前記文書表示モードでは、前記ファクス気は、ファクス送信の送信者がファクス送信の受信側ファクス機への配信を電子的／物理的に発する前に、ファクス送信する画像のプレビューを必要としているか否かを判定することができ；前記ファクス機を契約モード（ＣＯＮＴＲＡＣＴ  ｍｏｄｅ）で構成するファクスソフトウェアをさらに備え、前記契約モードでは、送信者と受信者の両方の署名を必要とする契約／同意／合意のファクス送信の送信者と受信者が、そのファクス送信の両側である送信側および受信側のファクス機にて送信者と受信者の署名を見ることができる方法。
【請求項２７】
さらに、
前記第１ファクス機に、記録カメラと音声／ビデオ／ファクスメール・ディスプレイを提供し；
前記第２ファクス装置に記憶カメラとよび音声／ビデオ／ファクスメール・ディスプレイを提供し；
第１トランザクションのために、前記第１ファクス機を前記第２ファクス機と通信可能に相互接続させ；
前記第１ファクス機から前記第２ファクス機へ、第１ファクス機を送信し；
前記第１ファクス送信を前記第２ファクス機にて受信し；
前記第１ファクス送信の前記第１送信のトランザクションにより、前記第２ファクス機を前記ファクス機で制御し；
前記第１ファクス送信の画像を、前記第１ファクス機の前記音声／ビデオ／ファクスメール・ディスプレイ上でプレビューし；さらに、
前記第１ファクス送信の画像を、前記第１ファクス機の前記音声／ビデオ／ファクスメール・ディスプレイ上でプレビューした後に、前記第２ファクス機から前記第１ファクス送信を電子的に発する、請求項２４に記載の方法。
【請求項２８】
さらに：
前記第１ファクス機の音声／ビデオ／ファクスメール・ディスプレイ上で前記第１ファクス送信をプレビューした後、および、前記第１ファクス送信を電子的に発する前に、前記第２ファクス機の音声／ビデオ／ファクスメール・ディスプレイ上で第１ファクス送信の画像をプレビューし；
前記第１ファクス送信の画像をプレビューした後、および前記第１ファクス送信を電子的に発する前に、前記第１ファクス機を使用して、前記第１ファクス送信に電子署名し；
前記第１ファクス送信を電子的に発する前に、前記第２ファクス機にて前記第１ファクス送信の画像を印刷し；
前記第１ファクス送信の印刷画像を、前記第２ファクス機の前記記録カメラで走査し；
走査した前記第１ファクス送信の印刷画像を、前記第１ファクス機の前記音声／ビデオ／ファクスメール・ディスプレイ上に表示させ；
前記走査した第１ファクス送信の印刷画像を前記第１ファクス機上でプレビューする前に  前記走査した前記第１ファクス送信の印刷画像を、前記第２ファクス機から物理的に発し；
前記走査した第１ファクス送信の印刷画像を前記第１ファクス機の音声／ビデオ／ファクスメール・ディスプレイ上に表示させた後、および、前記第１ファクス送信を物理的に発する前に、前記走査した第１ファクス送信の印刷画像を、前記第２ファクス機の音声／ビデオ／ファクスメール・ディスプレイ上に表示させ；
前記第１ファクス送信の画像の印刷後、および前記第１ファクス送信を物理的に発する前に、前記第１ファクス機を使用して前記第１ファクス送信を電子署名し；
前記第１ファクス送信の画像の印刷後、および前記第１ファクス送信を物理的に発する前に、前記第２ファクス機を使用して前記第１ファクス送信を電子署名し；
前記第１ファクス送信を電子的に発した後に、前記第１ファクス機にて前記第１ファクス送信の画像を印刷し；
前記第１ファクス送信の印刷画像を、前記第１ファクス機の記録カメラで操作し；
走査した前記第１ファクス送信の印刷画像を前記第１ファクス機の音声／ビデオ／ファクスメール上に表示させ；
走査した前記第１ファクス送信の印刷画像を前記第１ファクス機上でプレビューした後に、走査した前記第１ファクス送信の印刷画像を、前記第１ファクス機から物理的に発し；
前記走査した前記第１ファクス送信の印刷画像を前記第１ファクス機の音声／ビデオ／ファクスメール・ディスプレイ上に表示させた後、および前記第１ファクス送信を物理的に発する前に、走査した前記第１ファクス送信の印刷画像を前記第２ファクス機の音声／ビデオ／ファクスメール上に表示させ；
前記第１ファクス送信の画像の印刷後、および前記第１ファクス送信を物理的に発する前に、前記第１ファクス機を使用して前記第１ファクス送信に電子署名し；
前記第１ファクス送信の画像の印刷後、および前記第１ファクス送信を物理的に発する前に、前記第２装置を使用して前記第１ファクス送信に電子署名し；
前記第１ファクス機にコンピュータを相互接続させ；
前記第１ファクス機の機能を前記コンピュータで制御し；
前記第２送信を実施するために、前記第２ファクス機を前記第１ファクス機と通信可能に相互接続させ；
前記ファクス機から前記第１ファクス機へ前記第２ファクス送信を送信し；
前記第１ファクス機にて前記第２ファクス送信を受信し；
前記第２ファクス送信を送信する第２トランザクションが終了するまで、前記第１ファクス機を前記第２ファクス機で制御し；
前記第２ファクス機の音声／ビデオ／ファクスメール・ディスプレイ上で前記第２ファクス送信の画像をプレビューし；
前記第２ファクス送信の画像を前記第２ファクス機上でプレビューした後に、前記第２ファクス送信を電子的に発し；
前記第２ファクス送信の画像を前記第２ファクス機の音声／ビデオ／ファクスメール／ディスプレイ上でプレビューした後、および前記第２ファクス送信を電子的に開放する前に、前記第１ファクス機の音声／ビデオ／ファクスメール・ディスプレイ上で前記第２ファクス送信の画像をプレビューし；
前記第２ファクス送信の画像のプレビュー後、および前記第２ファクス送信を電子的に発する前に、前記第２ファクス機を使用して前記第２ファクス送信に電子署名し；
前記第２ファクス送信の画像のプレビュー後、および前記第２ファクス送信を電子的に発する前に、前記第１ファクス機を使用して前記第２ファクス送信に電子署名し；
前記第２ファクス送信を電子的に発した後に、前記第１ファクス機にて前記第２ファクス送信の画像を印刷し；
前記第２ファクス送信の印刷画像を、前記第１ファクス機の記録カメラで走査し；
走査した前記第２ファクス送信の印刷画像を前記第２ファクス機の音声／ビデオ／ファクスメール・ディスプレイ上に表示させ；
前記走査した第２ファクス送信の印刷画像を前記第２ファクス機上でプレビューした後に、前記第１ファクス機から前記第２ファクス送信を物理的に発し；
前記走査した第２ファクス送信の画像を前記第２ファクス機の音声／ビデオ／ファクスメール・ディスプレイ上に表示した後、および前記第２ファクス送信を物理的に発する前に、前記走査した第２ファクス送信の印刷画像を前記第１ファクス機の音声／ビデオ／ファクスメール・ディスプレイ上に表示させ；
前記第２ファクス送信の画像を印刷した後、および前記第２ファクス送信を物理的に発する前に、前記第２ファクス機を使用して前記第２ファクス送信に電子署名し；
前記第２ファクス送信の画像を印刷した後、および前記第２ファクス送信を物理的に発する前に、前記第１ファクス機を使用して前記第２ファクス送信に電子署名し；
前記第２ファクス送信を電子的に発した後に、前記第２ファクス機にて前記第２ファクス送信の画像を印刷し；
前記第２ファクス送信の印刷画像を前記第２ファクス機の記録カメラで走査し；
走査した前記第２ファクス送信の印刷画像を前記第１ファクス機の音声／ビデオ／ファクスメール・ディスプレイ上に表示させ；
走査した前記第２ファクス送信の第２印刷画像を前記第１ファクス機上でプレビューした後に、前記第２ファクス機から前記第２ファクス送信を物理的に発し；
前記走査した第２ファクス送信の画像を前記第１ファクス機の音声／ビデオ／ファクスメール・ディスプレイ上に表示した後、および前記第２ファクス送信を物理的に発する前に、前記走査した第２ファクス送信の印刷画像を前記第２ファクス機の音声／ビデオ／ファクスメール・ディスプレイ上に表示させ；
前記第２ファクス送信の画像を印刷した後、および前記第２ファクス送信を物理的に発する前に、前記第１ファクス機を使用して前記第２ファクス送信に電子署名し；
前記第２ファクス送信の画像を印刷した後、および前記第２ファクス送信を物理的に発する前に、前記第２ファクス機を使用して前記第２ファクス送信に電子署名する、請求項２７に記載の方法。